(57)【要約】【課題】  環境負荷の少ない光ディスクを使用する場合に温度上昇に伴って発生する問題を解決することが出来る光ディスク装置を提供する。【解決手段】  光ディスク装置内に設けられているとともに温度を検出する温度検出素子１７と、対物レンズ６を光ディスク１の面方向に変位させるフォーカスコイル９と、該フォーカスコイル９に駆動信号を供給するフォーカスサーボ回路１２と、該フォーカスサーボ回路１２からフォーカスコイル９に供給される駆動信号の直流電圧を検出する駆動電圧値検出回路１９とを設け、レーザー光が光ディスク１の信号層に合焦されているときの駆動信号の直流電圧値を前記駆動電圧値検出回路１９によって検出することにより装着された光ディスク１の種類を検出し、使用可能温度が低い光ディスクの高速再生動作中に温度が所定値に達したとき、光ディスクの再生速度を低下させる。【選択図】    図１
2007026537.tif 000002
【特許請求の範囲】
【請求項１】
光ディスクの厚みの相違に伴い該光ディスクの表面と光学式ピックアップとの間の距離が相違するように構成されているとともに低速度にて回転する光ディスクから再生動作を行う場合に対して高速度にて回転する光ディスクから再生動作を行う場合にレーザー出力を増加させるように構成された光ディスク装置において、光ディスク装置内に設けられているとともに温度を検出する温度検出素子と、光学式ピックアップに組み込まれているとともに対物レンズを光ディスクの面方向に変位させるフォーカスコイルと、該フォーカスコイルに駆動信号を供給するフォーカスサーボ回路と、該フォーカスサーボ回路からフォーカスコイルに供給される駆動信号の直流電圧を検出する駆動電圧値検出回路とを設け、レーザー光が光ディスクの信号層に合焦されているときの駆動信号の直流電圧値を前記駆動電圧値検出回路によって検出することにより装着された光ディスクの種類を検出し、使用可能温度が低い光ディスクの高速再生動作中に温度が所定値に達したとき、光ディスクの再生速度を低下させるようにしたことを特徴とする光ディスク装置。
【請求項２】
温度検出素子を光学式ピックアップの近傍に配置したことを特徴とする請求項１に記載の光ディスク装置。
【発明の詳細な説明】
【技術分野】
【０００１】
本発明は、光学式ピックアップに組み込まれているレーザーダイオードから照射されるレーザー光にて光ディスクに記録されている信号の読み出し動作を行う光ディスク装置に関する。
【背景技術】
【０００２】
レーザーダイオードから照射されるレーザー光によって光ディスクに記録されている信号の読み出し動作を行う光ディスク装置が普及している。光ディスク装置としては、ＣＤと呼ばれる光ディスクを使用するものが一般的である。
【０００３】
ＣＤディスクを使用する光ディスク装置としては、音楽等のオーディオ信号を再生するものやプログラムソフトのようなデータ信号を再生するものがある。そして、斯かる光ディスク装置の中には、規定の線速度、即ち低速度にて光ディスクを回転させて信号の再生動作を行うだけでなく規定線速度の数倍又は１０数倍の速度にて光ディスクを回転させて信号の再生動作を行うことが出来る製品が普及している。
【０００４】
光ディスクを高速にて回転させた状態にて信号の再生動作を行う光ディスク装置は、光ディスクを高速にて回転駆動させることが出来るようにスピンドルモーターの回転速度を制御するとともにレーザーダイオードから照射されるレーザー光の出力を増大させるように構成されている。
【０００５】
従って、斯かる光ディスク装置において、高速による再生動作を行うとスピンドルモーターだけでなく光学式ビックアップから発せられる熱量が大きくなるので、光ディスク装置の内部の温度が上昇することになる。
【０００６】
また、多くの光ディスク装置は、光ディスクを信号の読み取り面を下側にしてターンテーブル上に載置し、光ディスク面の下方に配置された光学式ピックアップによって信号の読み取り動作を行うように構成されているが、光ディスク装置の中には、信号の読み取り面を上側にしてターンテーブル上に載置し、光ディスク面の上方に配置された光学式ピックアップによって信号の読み取り動作を行うように構成されたものがある。
【０００７】
そして、最近、環境問題から自然界で分解されるプラスチックを基板の材料として使用する光ディスクが開発されている(例えば、特許文献１参照。)。
【特許文献１】特開２００５−５０４８９号公報
【発明の開示】
【発明が解決しようとする課題】
【０００８】
特許文献１に記載されているような光ディスクは、環境負荷が小さいものの自然界で分解されるプラスチックを使用するため、使用可能な温度が従来一般に普及して光ディスクと比較して低いという特性がある。
【０００９】
斯かる環境負荷が小さい光ディスクを使用する場合に光ディスク装置内の温度が上昇し、その温度が光ディスクの使用可能温度の限界値に達すると光ディスクが破壊されるという問題がある。
【００１０】
本発明は、斯かる問題を解決することが出来る光ディスク装置を提供しようとするもの
である。
【課題を解決するための手段】
【００１１】
本発明は、光ディスク装置内に設けられているとともに温度を検出する温度検出素子と、光学式ピックアップに組み込まれているとともに対物レンズを光ディスクの面方向に変位させるフォーカスコイルと、該フォーカスコイルに駆動信号を供給するフォーカスサーボ回路と、該フォーカスサーボ回路からフォーカスコイルに供給される駆動信号の直流電圧を検出する駆動電圧値検出回路とを設け、レーザー光が光ディスクの信号層に合焦されているときの駆動信号の直流電圧値を前記駆動電圧値検出回路によって検出することにより装着された光ディスクの種類を検出し、使用可能温度が低い光ディスクの高速再生動作中に温度が所定値に達したとき、光ディスクの再生速度を低下させるように構成されている。
【００１２】
また、本発明は、温度検出素子を温度の上昇が最も大きいと考えられる光学式ピックアップの近傍に配置するように構成されている。
【発明の効果】
【００１３】
本発明は、光ディスク装置内に設けられているとともに温度を検出する温度検出素子と、光学式ピックアップに組み込まれているとともに対物レンズを光ディスクの面方向に変位させるフォーカスコイルと、該フォーカスコイルに駆動信号を供給するフォーカスサーボ回路と、該フォーカスサーボ回路からフォーカスコイルに供給される駆動信号の直流電圧を検出する駆動電圧値検出回路とを設け、レーザー光が光ディスクの信号層に合焦されているときの駆動信号の直流電圧値を前記駆動電圧値検出回路によって検出することにより装着された光ディスクの種類を検出し、使用可能温度が低い光ディスクの高速再生動作中に温度が所定値に達したとき、光ディスクの再生速度を低下させるようにしたので、光ディスクの使用可能温度を越えることはなく、光ディスクが破壊されることを防止することが出来る。
【００１４】
また、本発明は、温度検出素子を光学式ピックアップの近傍に配置したので、即ち光ディスク装置の中で最も発熱量が大きな部材の近傍の温度検出を行うようにしたので、光ディスク装置の温度上昇を正確に検出することが出来る。
【発明を実施するための最良の形態】
【００１５】
本発明は、温度検出素子を設けて光ディスク装置の温度を検出することによって光ディスクの温度による破壊を防止するように構成されている。
【実施例】
【００１６】
図１は本発明に係る光ディスク装置の一実施例を示すブロック回路図、図２は本発明に係る光ディスクと対物レンズとの関係を示す説明図である。
【００１７】
図１において、１はスピンドルモーター２によって回転駆動されるターンテーブル３上に信号読み取り面を上側にして載置される光ディスクであり、例えば線速度一定になるように回転制御されるように構成されているとともに図２に示すようにカバー層Ｃ、信号層Ｓ及び保護層Ｇとより構成されている。
【００１８】
図２は、ＣＤ規格の光ディスクであり、１Ａは一般に普及している光ディスク(通常ディスク)、１Ｂは環境負荷の少ない光ディスク(環境型ディスク)である。通常ディスク１Ａのカバー層Ｃ、信号層Ｓ及び保護層Ｇの総厚みは、１．２ｍｍであるが、環境型ディスク１Ｂでは、材料となるプラスチックの屈折率が一般の光ディスクと比較して小さいので、信号層Ｓにレーザー光を合焦させるためにはカバー層Ｃの厚みを厚くする必要があり、
その結果カバー層Ｃ、信号層Ｓ及び保護層Ｇの総厚みは、１．３ｍｍ程度と厚くなる。
【００１９】
４はレーザー光を照射するレーザーダイオード５が組み込まれているとともに光ディスク１の信号読み取り面の上方に配置されている光学式ピックアップであり、レーザーダイオード５から照射されるレーザー光を光ディスク１の信号層Ｓに合焦させる対物レンズ６、光ディスク１から反射されるレーザー光を受光し電気信号に変換するとともに４分割センサー等にて構成される光検出器７、対物レンズ６を光ディスク１の径方向に変位させるトラッキングコイル８、対物レンズ６を光ディスク１の信号面に対して垂直方向に変位させるフォーカスコイル９が組み込まれている。
【００２０】
１０は前記光検出器７から得られる電気信号が光信号として入力される光出力信号処理回路であり、レーザー光の信号トラックに対するズレを示すトラッキングエラー信号、レーザー光の信号層Ｓに対するフォーカスズレを示すフォーカスエラー信号及び光ディスク１に記録されている信号の読み出し信号である再生信号を生成するように構成されている。斯かる光出力信号処理回路１０による各種の信号生成動作は周知の回路にて行われるので、その説明は省略する。
【００２１】
１１は前記光出力信号処理回路１０によって生成されて出力されるトラッキングエラー信号が入力されるトラッキングサーボ回路であり、入力されるトラッキングエラー信号に基くトラッキングコイル駆動信号を前記トラッキングコイル８に供給することによってトラッキング制御動作を行うように構成されている。
【００２２】
１２は前記光出力信号処理回路１０によって生成されて出力されるフォーカスエラー信号が入力されるフォーカスサーボ回路であり、入力されるフォーカスエラー信号に基くフォーカスコイル駆動信号を前記フォーカスコイル９に供給することによってフォーカス制御動作を行うように構成されている。前記フォーカスサーボ回路１２からフォーカスコイル９に供給されるフォーカスコイル駆動信号は、対物レンズ６をレーザーダイオードから照射されるレーザー光を信号層Ｓに合焦させるために動作位置に変位させる直流信号と光ディスク１の速い面振れに追従させて対物レンズ６を変位させる高周波信号とで構成されている。
【００２３】
１３は前記光出力信号処理回路１０内に設けられている２値化回路によって２値化された再生信号が入力されるとともにデジタル信号処理を行うデジタル信号処理回路であり、各種の信号を復調するように構成されている。１４は光ディスク装置の各動作を制御するシステム制御回路であり、前記デジタル信号処理回路１３より生成される同期信号を利用してスピンドルモーター２による光ディスク１の回転制御動作や再生信号及び記録信号の処理動作、そして外部に設けられているパーソナルコンピューター等のホスト機器との信号の送受信動作等を制御するように構成されている。斯かるシステム制御回路１４は、マイクロコンピューターにて構成されており、内部に設けられているＲＯＭ等に記憶されているプログラムソフトに基いて各種の制御動作を行うように構成されている。
【００２４】
１５は前記システム制御回路１４によって動作が制御されるとともにレーザーダイオード５に駆動信号を供給するレーザー駆動回路であり、再生動作時には再生用のレーザー出力が得られる駆動信号を供給し、記録動作時には、記録信号に対応した長さのピットを光ディスクの信号記録層に形成するためのパルス信号を供給するように構成されている。
【００２５】
１６は前記システム制御回路１４によって動作が制御されるとともに前記スピンドルモーター２の回転動作を制御するスピンドルモーター駆動回路であり、光ディスク１を規定の線速度や高速の線速度にて回転駆動制御するように構成されている。斯かるスピンドルモーター駆動回路１６によるスピンドルモーター２の回転駆動制御動作は、光ディスク１
から得られる同期信号と基準クロック信号生成回路(図示せず)にて生成される基準同期信号との同期合わせ処理動作によって線速度一定による駆動動作を行うことが出来る。斯かる制御動作は、周知であるので、その説明は省略する。
【００２６】
１７は光ディスク装置内の発熱量が多い場所、本実施例では、光学式ピックアップ４に取り付けられている温度検出素子であり、例えばサーミスタと呼ばれる電子部品にて構成されている。１８は前記温度検出素子１７から得られる信号に基づいて温度を検出する温度検出回路であり、検出された温度は前記システム制御回路１４に対して出力されるように構成されている。
【００２７】
１９は前記フォーカスサーボ回路１２からフォーカスコイル９に供給されるフォーカスコイル駆動信号が入力される駆動電圧値検出回路であり、該フォーカスコイル駆動信号の中から対物レンズ６を合焦位置に変位させる直流電圧値を検出し、検出された電圧値を前記システム制御回路１４に入力するように接続されている。
【００２８】
斯かる構成において、光ディスク１が環境型ディスクであり、高速再生動作や高速記録動作を行っている状態で温度検出回路１８によって検出される温度が前もって設定されている温度、即ち使用可能な温度の限界値に近い温度に上昇した場合には、高速再生動作や高速記録動作状態から発熱量が小さくなる低速再生動作や低速記録動作を行う状態に切り換えるように構成されている。
【００２９】
以上に説明したように本発明は構成されているが、次に動作について説明する。光ディスク１記録されている信号を規定の線速度より高速の線速度にて回転するディスクから再生するための命令信号が光ディスク装置と接続されているパーソナルコンピューターから出力されると、システム制御回路１４による高速再生動作を行うための制御動作が開始される。
【００３０】
斯かる制御動作は、スピンドルモーター２に対するスピンドルモーター駆動回路１６による回転制御動作、トラッキングサーボ回路１１によるトラッキング制御動作及びフォーカスサーボ回路１２によるフォーカス制御動作等の周知の動作が行われて光ディスク１に記録されている信号の再生動作が行われる。
【００３１】
高速再生動作を行う状態では、スピンドルモーター駆動回路１６からスピンドルモーター２に対して低速再生動作を行う場合と比較して大きな駆動信号が供給されるとともにレーザー駆動回路１５からレーザーダイオード５に対して低速再生動作を行う場合と比較して大きな駆動信号が供給される。
【００３２】
また、高速再生動作を行う状態では、デジタル信号処理回路１３による信号の復調動作を行うためのクロック信号の周波数も再生速度に対応して変更されるとともにトラッキングサーボ回路１１やフォーカスサーボ回路１２のサーボ利得も増加させるように構成されている。従って、高速再生動作状態では、低速再生動作と比較して光ディスク装置内で発生する熱量が大きくなるという特性がある。
【００３３】
以上に説明したように本実施例における再生動作は行われるが、次に本発明の要旨について説明する。本発明は、使用する光ディスク１が通常ディスクであるか、環境負荷が少ない環境型ディスクであるかを識別することに基づいて温度に対する制御動作を行うようにされている。
【００３４】
本実施例における光ディスク１の種類を判別する動作は、光ディスク１のカバー層Ｃの厚みを検出することによって行われるが、斯かるカバー層Ｃの厚みを検出する動作は、対
物レンズ６の合焦位置の相違を検出することによって行われる。
【００３５】
図２は通常ディスク１Ａと環境型ディスク１Ｂに設けられている信号層Ｓにレーザー光を合焦させた状態を示すものであり、カバー層Ｃの厚み及び屈折率の相違に伴って対物レンズ６の合焦位置が図示したように距離Ｄだけ相違する。この距離Ｄの相違は、フォーカスコイル９に供給されるフォーカスコイル駆動信号を構成する直流電圧値の差となって現れるので、この直流電圧値を駆動電圧値検出回路１９によって検出することによって光ディスク１が通常ディスク１Ａであるか環境型ディスク１Ｂであるかを識別することが出来る。
【００３６】
光ディスク装置に装着されている光ディスク１が通常ディスク１Ａであるか環境型ディスク１Ｂであるかの認識動作は、システム制御回路１４に各ディスクの厚みに対応した直流電圧値が記憶されたメモリー回路を組み込み、駆動電圧値検出回路１９によって検出された電圧値に対応したディスクの厚みデータを前記メモリー回路から読み出すことによって行うことが出来る。
【００３７】
以上に説明したようにフォーカスコイル９に供給されるフォーカスコイル駆動駆動信号に含まれる直流電圧を検出することによって光ディスク１が通常ディスク１Ａであるか環境型ディスク１Ｂであるかを認識することが出来るが、通常ディスク１Ａの場合には温度に対する問題はないので、高速再生動作を支障無く行うことが出来る。
【００３８】
光ディスク１が環境型ディスク１Ｂである場合には、高速再生動作を行うと光ディスク装置内の温度がレーザーダイオード５のレーザー照射動作に伴う発熱、レーザー駆動回路１５からの発熱及びスピンドルモーター２の高速回転動作に伴う発熱によって上昇する。斯かる光ディスク装置内の温度検出動作は、温度検出素子１７によって常時行われており、該温度検出素子１７から得られる検出信号に基づいて温度検出回路１８から検出温度に対応したデータがシステム制御回路１４に対して出力される。
【００３９】
高速再生動作が行われているとき、システム制御回路１４は、温度検出回路１８から得られるデータに基いて光ディスク装置内の温度を認識した状態にある。そして、光ディスク装置内の温度が上昇して設定値に達するとシステム制御回路１４は光ディスク１が損傷を受ける温度に達すると判断し、高速再生動作状態から低速再生動作を行う状態に切り換える動作を行う。斯かる切り換え動作を行うと、レーザーダイオード５のレーザー出力の低下動作及びスピンドルモーター２の回転速度の低下動作に伴って各部品から発生する熱量が少なくなるので、光ディスク装置内の温度を下げることが出来る。従って、環境型ディスク１Ａである光ディスク１が温度上昇によって損傷するという問題が発生することはない。
【００４０】
勿論、何らかの利用によって最も低い速度、即ち規定の速度による再生動作を行っている場合に温度が設定値まで上昇した場合には、異常と判断して停止状態に切り換えることによって光ディスク１の損傷を防止することが出来るように構成することも出来る。
【００４１】
尚、本実施例では、再生動作を行う場合について説明したが、記録動作を行う場合にも同様に温度に対する制御動作を行うことが出来る。また、本実施例では、光学式ピックアップ４が光ディスク１の上側に配置されている場合について説明したが、光ディスク１の回転軸が水平に配置されている光ディスク装置やカートリッジ内に光ディスクが組み込まれ、且つ光ディスクの表面の位置が通常ディスクと環境型ディスクとで相違するような光ディスクを使用する光ディスク装置のように光学式ピックアップを光ディスクの下側に配置するように構成された光ディスク装置にも実施することが出来る。
【図面の簡単な説明】
【００４２】
【図１】本発明に係る光ディスク装置の一実施例を示すブロック回路図である。
【図２】本発明に係る光ディスクと対物レンズとの関係を示す説明図である。
【符号の説明】
【００４３】
１        光ディスク
２        スピンドルモーター
３        ターンテーブル
４        光学式ピックアップ
５        レーザーダイオード
６        対物レンズ
７        光検出器
９        フォーカスコイル
１０        光出力信号処理回路
１２        フォーカスサーボ回路
１４        システム制御回路
１５        レーザー駆動回路
１６        スピンドルモーター駆動回路
１７        温度検出素子
１８        温度検出回路
１９        駆動電圧値検出回路
【図１】
2007026537.tif 000003
【図２】
2007026537.tif 000004